(57)【要約】【課題】吸水性と透湿性を備えた断熱材が屋外からの水を吸ってしまうのを有効的に防ぐことができて、建物構造躯体と外壁面材との間への透湿性を備えた断熱材の設置を簡易に実現できるようにすること。【解決手段】断熱材４の下面部をカバーするカバー部７と、通気部５よりも開口サイズが小さく通気部５を屋外と連通する開口８とを備えた金物６が外壁下部に備えられている。【選択図】      図１
2005282278.tif 000002
【特許請求の範囲】
【請求項１】
建物構造躯体と外壁面材との間に透湿性と吸水性を有する断熱材が備えられると共に、外壁面材と断熱材との間に上下方向に延びる通気部が設けられた通気外壁構造であって、
前記断熱材の下面部をカバーするカバー部と、通気部よりも開口サイズが小さく通気部を屋外と連通する開口とを備えた金物が外壁下部に備えられていることを特徴とする通気外壁構造。
【請求項２】
建物構造躯体と外壁面材との間に透湿性と吸水性を有する断熱材が備えられると共に、外壁面材と断熱材との間に上下方向に延びる通気部が設けられた通気外壁構造に用いられる通気外壁用下部金物であって、
前記断熱材の下面部をカバーするカバー部と、通気部よりも開口サイズが小さく通気部を屋外と連通する開口とを備えていることを特徴とする通気外壁用下部金物。
【発明の詳細な説明】
【技術分野】
【０００１】
本発明は、通気外壁構造及びそれに用いられる下部金物に関する。
【背景技術】
【０００２】
建物構造躯体と外壁面材との間に発泡樹脂断熱材を介設した外断熱構造の外壁構造は提供されているが、発泡樹脂断熱材は一般に透湿性を備えていないことから、屋内の湿気を断熱材を通じて外に逃がすことが困難であり、そのため、上記の発泡樹脂断熱材に代えて、透湿性を備えた繊維系断熱材を用い、屋内の湿気を、繊維系断熱材を通じて、繊維系断熱材と外壁面材との間の上下方向に延びる通気層に逃がす構造にすることが検討されている。
【発明の開示】
【発明が解決しようとする課題】
【０００３】
しかしながら、繊維系断熱材は透湿性とともに、吸水性も備えていることから、繊維系断熱材を建物構造躯体と外壁面材との間に介設して通気層を設けると、繊維系断熱材が、その下端の小口部分、即ち下面部を通じて、屋外からの水を吸ってしまうおそれがある。
【０００４】
本発明は、上記のような問題点に鑑み、吸水性と透湿性を備えた断熱材が屋外からの水を吸ってしまうのを有効的に防ぐことができて、建物構造躯体と外壁面材との間への透湿性を備えた断熱材の設置を簡易に実現できるようにすることを課題とする。
【課題を解決するための手段】
【０００５】
上記の課題は、建物構造躯体と外壁面材との間に透湿性と吸水性を有する断熱材が備えられると共に、外壁面材と断熱材との間に上下方向に延びる通気部が設けられた通気外壁構造であって、
前記断熱材の下面部をカバーするカバー部と、通気部よりも開口サイズが小さく通気部を屋外と連通する開口とを備えた金物が外壁下部に備えられていることを特徴とする通気外壁構造によって解決される。
【０００６】
また、建物構造躯体と外壁面材との間に透湿性と吸水性を有する断熱材が備えられると共に、外壁面材と断熱材との間に上下方向に延びる通気部が設けられた通気外壁構造に用いられる通気外壁用下部金物であって、
前記断熱材の下面部をカバーするカバー部と、通気部よりも開口サイズが小さく通気部を屋外と連通する開口とを備えていることを特徴とする通気外壁用下部金物によって解決される。
【０００７】
これらによれば、断熱材の下面部は金物のカバー部でカバーされるので、断熱材がその下面部を通じて水を吸ってしまうのを有効的に防止することができ、それでいて、金物には通気部を屋外と連通する開口が備えられているので、通気部の通気を確保することができて、屋内の湿気を断熱材、そして、通気層を通じて屋外に有効的に逃がすことができ、建物構造躯体と外壁面材との間への透湿性を備えた断熱材の設置を実現できる。しかも、それを上記のような金物で実現するものであるから、透湿性を備えた断熱材の設置を簡易に実現することができる。更に、金物に備えられている開口は、通気部よりも開口サイズが小さく設計されているので、通気層への虫やコウモリ等の侵入も抑制ないしは防止することができる。
【発明の効果】
【０００８】
本発明は、以上のとおりのものであるから、吸水性と透湿性を備えた断熱材が屋外からの水を吸ってしまうのを有効的に防ぐことができて、建物構造躯体と外壁面材との間への透湿性を備えた断熱材の設置を簡易に実現できる。
【発明を実施するための最良の形態】
【０００９】
次に、本発明の実施最良形態を図面に基づいて説明する。
【００１０】
図１に示す実施形態の通気外壁構造において、１は外壁パネルであり、外壁パネル１において、２は建物構造躯体となるパネルフレーム、３は窯業系等の外壁面材であり、パネルフレーム２と外壁面材３との間には、グラスウールやロックウールなどからなる透湿性と吸水性を備えた繊維系断熱材４が介設され、また、該断熱材４と外壁面材３との間には、図示しない縦胴縁などによって上下方向に延びる通気部５が設けられている。また、図示しないが、通気部５に面する側の断熱材４の面部には、透湿防水シートが貼られている。
【００１１】
そして、外壁パネル１の下部には、下部金物６が備えられている。該金物６は、金属や樹脂、あるいは、金属と樹脂の複合材などからなっており、溝形をし、その底壁部６ａの幅方向の一方の半部が、断熱材４の下面部をカバーするカバー部７を構成し、幅方向のもう一方の半部には、通気部５を屋外と連通する開口８…が設けられている。各開口８…は、通気部５よりも開口サイズが小さく設計されていて、通気部５内へのコウモリや虫類の侵入を阻止できるようになされている。
【００１２】
なお、各開口８…のサイズは、侵入阻止しようとする対象に応じてそのサイズが決められてよく、開口８…の形態についても、スリット状開口であたったり、多数の小さな丸孔を備えたパンチング板状の開口であったり、メッシュ板状の開口であったりしてよい。
【００１３】
上記の下部金物６は、底壁部６ａを下にするようにして、一方の側壁部６ｂが断熱材４とパネルフレーム２との間に差し込まれ、もう一方の側壁部６ｃが外壁面材３と図示しない縦胴縁との間に差し込まれて、外壁パネル１の下部に備えられている。下部金物６の止付けは、例えば、外壁面材３を縦胴縁を介してパネルフレーム２に止め付けるビスを、下部金物６の側壁部６ｂ，６ｃに貫通させることなどによって、容易に行うことができる。そして、上記の外壁パネル１を建物に組み付けることで、通気外壁構造が形成される。
【００１４】
このように、上記の通気外壁構造では、吸水性を有する透湿性の断熱材４の下面部が金物６のカバー部７でカバーされているので、断熱材４がその下面部を通じて水を吸うのを有効的に防止することができ、それでいて、金物６には通気部５を屋外と連通する開口８…が備えられているので、通気部５の通気を確保することができて、屋内の湿気を断熱材４、そして、通気部５を通じて屋外に有効的に逃がすことができ、パネルフレーム２と外壁面材３との間への透湿性を備えた断熱材の設置を、金物６を用いて、簡易に実現することができると共に、通気部５内への侵入阻止対象物の侵入を抑制ないしは防止することができる。
【００１５】
以上に、本発明の実施形態を示したが、本発明はこれに限られるものではなく、発明思想を逸脱しない範囲で各種の変更が可能である。例えば、本発明の構造で用いられる断熱材は、撥水処理のなされた繊維系断熱材であっても、実際上、吸水してしまうようなものなら含むし、また、吸水性と透湿性を備えたものであれば繊維系断熱材以外の断熱材であってもよい。
【図面の簡単な説明】
【００１６】
【図１】図（イ）は実施形態の通気外壁構造を示す断面側面図、図（ロ）は金物の断面図、図（ハ）は金物の断面斜視図である。
【符号の説明】
【００１７】
２…パネルフレーム（建物構造躯体）
３…外壁面材
４…断熱材
５…通気部
６…下部金物
７…カバー部
８…開口
【図１】
2005282278.tif 000003